(57)【要約】【課題】ユーザ端末の機能評価のためのアンケート調査を、機能別使用回数に基づいて機能別に実行する。【解決手段】機能別のアンケート情報を予めユーザ端末１０の第１の記憶手段に登録し、機能が何回使用されたときにアンケートを行うのかを指定するアンケート実行条件を機能別に予めユーザ端末１０の第２の記憶手段に登録し、ユーザ端末１０の機能が使用される度に機能使用回数を前記第２の記憶手段に機能別に登録，更新し、機能使用終了時に前記第２の記憶手段に登録されている該当機能のアンケート実行条件と機能使用回数とを照合し、一致した場合に前記第１の記憶手段から該当機能のアンケート情報を読み出してユーザ端末１０に表示し、ユーザから入力されたアンケート回答情報を集計サーバ２０に送信する。【選択図】図１
2007140637.tif 000002
【特許請求の範囲】
【請求項１】
ネットワークで接続されるユーザ端末と集計サーバとを備えたユーザ端末の機能評価システムであって、
前記ユーザ端末は、機能別のアンケート情報が予め登録された第１の記憶手段と、機能が何回使用されたときにアンケートを行うのかを指定するアンケート実行条件が機能別に予め登録された第２の記憶手段と、機能が使用される度に機能使用回数を前記第２の記憶手段に機能別に登録，更新する手段と、機能使用終了時に前記第２の記憶手段に登録されている該当機能のアンケート実行条件と機能使用回数とを照合し、一致した場合に前記第１の記憶手段から該当機能のアンケート情報を読み出して表示する手段と、ユーザから入力されたアンケート回答情報を前記集計サーバに送信する手段とを有し、
前記集計サーバは、前記ユーザ端末から受信したアンケート回答情報をユーザ別に登録する手段と、アンケート回答情報を集計する手段とを有することを特徴とするユーザ端末の機能評価システム。
【請求項２】
前記ユーザ端末は、アンケート実行条件と機能使用回数とが一致した場合に、アンケート依頼情報を表示する手段をさらに有し、ユーザの承諾回答を得た後にアンケート情報を表示することを特徴とする請求項１記載のユーザ端末の機能評価システム。
【請求項３】
前記ユーザ端末は、ユーザから入力されたアンケート回答情報が全ての質問に対する回答を含んでいるかを確認する手段をさらに有し、含んでいた場合にアンケート回答情報を前記集計サーバに送信し、含んでいなかった場合は送信しないことを特徴とする請求項１または２記載のユーザ端末の機能評価システム。
【請求項４】
前記ユーザ端末は、アンケート回答情報が少なくとも一部の質問に未回答であった場合、回答済みの質問，回答情報と未回答の質問情報とを中断情報として機能対応に保存する手段と、次回の該当機能使用時に未回答の質問情報についてアンケート調査を実行する手段と、全ての質問に対する回答が揃ったときにアンケート回答情報を一括して前記集計サーバに送信する手段とを、さらに有することを特徴とする請求項３記載のユーザ端末の機能評価システム。
【請求項５】
前記ユーザ端末は、機能別使用回数を含む機能使用状況情報を定期的に前記集計サーバに送信する手段をさらに有し、前記集計サーバは、受信した機能使用状況情報をユーザ別に登録する手段と、機能使用状況情報を集計する手段とをさらに有することを特徴とする請求項１，２，３または４記載のユーザ端末の機能評価システム。
【請求項６】
機能別のアンケート情報が予め登録された第１の記憶手段と、機能が何回使用されたときにアンケートを行うのかを指定するアンケート実行条件が機能別に予め登録された第２の記憶手段と、機能が使用される度に機能使用回数を前記第２の記憶手段に機能別に登録，更新する手段と、機能使用終了時に前記第２の記憶手段に登録されている該当機能のアンケート実行条件と機能使用回数とを照合し、一致した場合に前記第１の記憶手段から該当機能のアンケート情報を読み出して表示する手段と、ユーザから入力されたアンケート回答情報を外部装置に送信する手段とを有することを特徴とするユーザ端末。
【請求項７】
アンケート実行条件と機能使用回数とが一致した場合に、アンケート依頼情報を表示する手段をさらに有し、ユーザの承諾回答を得た後にアンケート情報を表示することを特徴とする請求項６記載のユーザ端末。
【請求項８】
ユーザから入力されたアンケート回答情報が全ての質問に対する回答を含んでいるかを確認する手段をさらに有し、含んでいた場合にアンケート回答情報を前記外部装置に送信し、含んでいなかった場合は送信しないことを特徴とする請求項６または７記載のユーザ端末。
【請求項９】
アンケート回答情報が少なくとも一部の質問に未回答であった場合、回答済みの質問，回答情報と未回答の質問情報とを中断情報として機能対応に保存する手段と、次回の該当機能使用時に未回答の質問情報についてアンケート調査を実行する手段と、全ての質問に対する回答が揃ったときにアンケート回答情報を一括して前記外部装置に送信する手段とを、さらに有することを特徴とする請求項８記載のユーザ端末。
【請求項１０】
機能別使用回数を含む機能使用状況情報を定期的に前記外部装置に送信する手段をさらに有することを特徴とする請求項６，７，８または９記載のユーザ端末。
【請求項１１】
ユーザ端末において機能別使用回数を記録し、機能毎に予め定めた使用回数になった場合、内部に格納された機能別アンケート情報を機能使用終了時に表示し、ユーザにより入力された回答情報を外部装置に送信することを特徴とするユーザ端末の機能評価方法。
【請求項１２】
機能別のアンケート情報を予めユーザ端末の第１の記憶手段に登録するステップと、機能が何回使用されたときにアンケートを行うのかを指定するアンケート実行条件を機能別に予め前記ユーザ端末の第２の記憶手段に登録するステップと、前記ユーザ端末の機能が使用される度に機能使用回数を前記第２の記憶手段に機能別に登録，更新するステップと、機能使用終了時に前記第２の記憶手段に登録されている該当機能のアンケート実行条件と機能使用回数とを照合し、一致した場合に前記第１の記憶手段から該当機能のアンケート情報を読み出して前記ユーザ端末に表示するステップと、ユーザから入力されたアンケート回答情報を外部装置に送信するステップとを有することを特徴とするユーザ端末の機能評価方法。
【請求項１３】
機能別のアンケート情報を予めユーザ端末の第１の記憶手段に登録するステップと、機能が何回使用されたときにアンケートを行うのかを指定するアンケート実行条件を機能別に予め前記ユーザ端末の第２の記憶手段に登録するステップと、前記ユーザ端末の機能が使用される度に機能使用回数を前記第２の記憶手段に機能別に登録，更新するステップと、機能使用終了時に前記第２の記憶手段に登録されている該当機能のアンケート実行条件と機能使用回数とを照合するステップと、アンケート実行条件と機能使用回数とが一致した場合にアンケート依頼情報を前記ユーザ端末に表示するステップと、ユーザの承諾回答を得た後に前記第１の記憶手段から該当機能のアンケート情報を読み出して前記ユーザ端末に表示するステップと、ユーザから入力されたアンケート回答情報が全ての質問に対する回答を含んでいるかを確認するステップと、含んでいた場合にアンケート回答情報を外部装置に送信し、含んでいなかった場合は送信しないよう制御するステップと、アンケート回答情報が少なくとも一部の質問に未回答であった場合、回答済みの質問，回答情報と未回答の質問情報とを中断情報として機能対応に前記ユーザ端末に保存するステップと、次回の該当機能使用時に未回答の質問情報についてアンケート調査を実行するステップと、全ての質問に対する回答が揃ったときにアンケート回答情報を一括して前記ユーザ端末から前記外部装置に送信するステップと、機能別使用回数を含む機能使用状況情報を定期的に前記外部装置に送信するステップとを有することを特徴とするユーザ端末の機能評価方法。
【請求項１４】
機能別のアンケート情報を予め第１の記憶手段に登録する機能、機能が何回使用されたときにアンケートを行うのかを指定するアンケート実行条件を機能別に予め第２の記憶手段に登録する機能、機能が使用される度に機能使用回数を前記第２の記憶手段に機能別に登録，更新する機能、機能使用終了時に前記第２の記憶手段に登録されている該当機能のアンケート実行条件と機能使用回数とを照合し、一致した場合に前記第１の記憶手段から該当機能のアンケート情報を読み出して表示する機能、ユーザから入力されたアンケート回答情報を外部装置に送信する機能、をコンピュータに実現させるためのプログラム。
【請求項１５】
機能別のアンケート情報を予め第１の記憶手段に登録する機能、機能が何回使用されたときにアンケートを行うのかを指定するアンケート実行条件を機能別に予め第２の記憶手段に登録する機能、機能が使用される度に機能使用回数を前記第２の記憶手段に機能別に登録，更新する機能、機能使用終了時に前記第２の記憶手段に登録されている該当機能のアンケート実行条件と機能使用回数とを照合する機能、アンケート実行条件と機能使用回数とが一致した場合にアンケート依頼情報を表示する機能、ユーザの承諾回答を得た後に前記第１の記憶手段から該当機能のアンケート情報を読み出して表示する機能、ユーザから入力されたアンケート回答情報が全ての質問に対する回答を含んでいるかを確認する機能、含んでいた場合にアンケート回答情報を外部装置に送信し、含んでいなかった場合は送信しないよう制御する機能、アンケート回答情報が少なくとも一部の質問に未回答であった場合、回答済みの質問，回答情報と未回答の質問情報とを中断情報として機能対応に保存する機能、次回の該当機能使用時に未回答の質問情報についてアンケート調査を実行する機能、全ての質問に対する回答が揃ったときにアンケート回答情報を一括して前記外部装置に送信する機能、機能別使用回数を含む機能使用状況情報を定期的に前記外部装置に送信する機能、をコンピュータに実現させるためのプログラム。
【発明の詳細な説明】
【技術分野】
【０００１】
本発明は、ユーザ端末に備えられた各種機能に対するユーザ評価情報の取得，管理を行うための、ユーザ端末の機能評価システム，ユーザ端末，ユーザ端末の機能評価方法およびプログラムに関する。
【背景技術】
【０００２】
ユーザ端末の機能評価の従来例としては、例えば、ユーザ端末のユーザにアンケート票を渡し全ての機能について一括回答してもらう方法がある。しかし、この方法ではユーザにアンケート票を配布または配信する手間がかかるとともに、機能の使用有無に関わらず全ての機能を一括調査しているため、必ずしも実際の使用に基づいた有効な評価情報が得られるとは限らないという問題があった。例えば、ユーザが余り使用していない機能について適切な感想を回答することは難しく、また、回答記入のために取り敢えず機能を使ってみた結果の感想等は、本当に必要なときに使った場合の感想とは異なる可能性が高い。
【０００３】
そこで、ユーザ端末における実際の機能の使用状況に着目した例が特開２００１−３５８８１８号公報（特許文献１）に記載されている。この特許文献１においては、携帯端末において実際の機能毎の使用状況（使用の有無や使用回数等）を取得してサーバに送信し、サーバが各携帯端末から受信したデータを集計し各携帯端末に送信することにより、よく使用されている機能等の紹介を行っている。
【０００４】
また、特開２００１−５１９７３号公報（特許文献２）には、サーバがユーザ端末にコンテンツを配信，表示するときに質問票を併せて配信，表示し、ユーザによる質問票への回答データを携帯端末からサーバに送信することが記載されている。
【０００５】
【特許文献１】特開２００１−３５８８１８号公報（段落「００２４」、「００３９」、「００４７」）
【特許文献２】特開２００１−５１９７３号公報（段落「００２４」、図１）
【発明の開示】
【発明が解決しようとする課題】
【０００６】
上述した特許文献１においては、機能毎の使用状況（使用の有無や使用回数等）の集計により、よく使用される機能やあまり使用されていない機能等を知ることは可能である。しかし、各機能を使用した後の機能そのものに対する各ユーザの評価情報については考慮されていないため、機能開発部門へのフィードバックによる機能改良等に結びつかないという問題がある。
【０００７】
また、上述した特許文献２においては、ユーザ端末に配信される質問票は配信コンテンツに関するものであり、ユーザ端末の機能の評価に関しては何ら考慮されていないとともに、質問票をその都度サーバがユーザ端末に配信しなければならないという問題がある。さらに、ユーザ端末がサーバからコンテンツを受信する度に質問票への回答を併せて要求されるため、特に同じコンテンツに何回かアクセスしたような場合は何度も同じ質問票への回答を求められ、ユーザにとって煩わしいという問題がある。
【０００８】
本発の目的は、以上の課題を解決するユーザ端末の機能評価システム，ユーザ端末，ユーザ端末の機能評価方法およびプログラムを提供することにある。
【課題を解決するための手段】
【０００９】
本発明の第１のユーザ端末の機能評価システムは、ネットワークで接続されるユーザ端末と集計サーバとを備えたユーザ端末の機能評価システムであって、
前記ユーザ端末は、機能別のアンケート情報が予め登録された第１の記憶手段と、機能が何回使用されたときにアンケートを行うのかを指定するアンケート実行条件が機能別に予め登録された第２の記憶手段と、機能が使用される度に機能使用回数を前記第２の記憶手段に機能別に登録，更新する手段と、機能使用終了時に前記第２の記憶手段に登録されている該当機能のアンケート実行条件と機能使用回数とを照合し、一致した場合に前記第１の記憶手段から該当機能のアンケート情報を読み出して表示する手段と、ユーザから入力されたアンケート回答情報を前記集計サーバに送信する手段とを有し、
前記集計サーバは、前記ユーザ端末から受信したアンケート回答情報をユーザ別に登録する手段と、アンケート回答情報を集計する手段とを有する。
【００１０】
本発明の第２のユーザ端末の機能評価システムは、本発明の第１のユーザ端末の機能評価システムにおいて、前記ユーザ端末は、アンケート実行条件と機能使用回数とが一致した場合に、アンケート依頼情報を表示する手段をさらに有し、ユーザの承諾回答を得た後にアンケート情報を表示することを特徴とする。
【００１１】
本発明の第３のユーザ端末の機能評価システムは、本発明の第１または第２のユーザ端末の機能評価システムにおいて、前記ユーザ端末は、ユーザから入力されたアンケート回答情報が全ての質問に対する回答を含んでいるかを確認する手段をさらに有し、含んでいた場合にアンケート回答情報を前記集計サーバに送信し、含んでいなかった場合は送信しないことを特徴とする。
【００１２】
本発明の第４のユーザ端末の機能評価システムは、本発明の第３のユーザ端末の機能評価システムにおいて、前記ユーザ端末は、アンケート回答情報が少なくとも一部の質問に未回答であった場合、回答済みの質問，回答情報と未回答の質問情報とを中断情報として機能対応に保存する手段と、次回の該当機能使用時に未回答の質問情報についてアンケート調査を実行する手段と、全ての質問に対する回答が揃ったときにアンケート回答情報を一括して前記集計サーバに送信する手段とを、さらに有する。
【００１３】
本発明の第５のユーザ端末の機能評価システムは、本発明の第１，第２，第３または第４のユーザ端末の機能評価システムにおいて、前記ユーザ端末は、機能別使用回数を含む機能使用状況情報を定期的に前記集計サーバに送信する手段をさらに有し、前記集計サーバは、受信した機能使用状況情報をユーザ別に登録する手段と、機能使用状況情報を集計する手段とをさらに有する。
【００１４】
本発明の第１のユーザ端末は、機能別のアンケート情報が予め登録された第１の記憶手段と、機能が何回使用されたときにアンケートを行うのかを指定するアンケート実行条件が機能別に予め登録された第２の記憶手段と、機能が使用される度に機能使用回数を前記第２の記憶手段に機能別に登録，更新する手段と、機能使用終了時に前記第２の記憶手段に登録されている該当機能のアンケート実行条件と機能使用回数とを照合し、一致した場合に前記第１の記憶手段から該当機能のアンケート情報を読み出して表示する手段と、ユーザから入力されたアンケート回答情報を外部装置に送信する手段とを有する。
【００１５】
本発明の第２のユーザ端末は、本発明の第１のユーザ端末において、アンケート実行条件と機能使用回数とが一致した場合に、アンケート依頼情報を表示する手段をさらに有し、ユーザの承諾回答を得た後にアンケート情報を表示することを特徴とする。
【００１６】
本発明の第３のユーザ端末は、本発明の第１または第２のユーザ端末において、ユーザから入力されたアンケート回答情報が全ての質問に対する回答を含んでいるかを確認する手段をさらに有し、含んでいた場合にアンケート回答情報を前記外部装置に送信し、含んでいなかった場合は送信しないことを特徴とする。
【００１７】
本発明の第４のユーザ端末は、本発明の第３のユーザ端末において、アンケート回答情報が少なくとも一部の質問に未回答であった場合、回答済みの質問，回答情報と未回答の質問情報とを中断情報として機能対応に保存する手段と、次回の該当機能使用時に未回答の質問情報についてアンケート調査を実行する手段と、全ての質問に対する回答が揃ったときにアンケート回答情報を一括して前記外部装置に送信する手段とを、さらに有する。
【００１８】
本発明の第５のユーザ端末は、本発明の第１，第２，第３または第４のユーザ端末において、機能別使用回数を含む機能使用状況情報を定期的に前記外部装置に送信する手段をさらに有する。
【００１９】
本発明の第１のユーザ端末の機能評価方法は、ユーザ端末において機能別使用回数を記録し、機能毎に予め定めた使用回数になった場合、内部に格納された機能別アンケート情報を機能使用終了時に表示し、ユーザにより入力された回答情報を外部装置に送信することを特徴とする。
【００２０】
本発明の第２のユーザ端末の機能評価方法は、機能別のアンケート情報を予めユーザ端末の第１の記憶手段に登録するステップと、機能が何回使用されたときにアンケートを行うのかを指定するアンケート実行条件を機能別に予め前記ユーザ端末の第２の記憶手段に登録するステップと、前記ユーザ端末の機能が使用される度に機能使用回数を前記第２の記憶手段に機能別に登録，更新するステップと、機能使用終了時に前記第２の記憶手段に登録されている該当機能のアンケート実行条件と機能使用回数とを照合し、一致した場合に前記第１の記憶手段から該当機能のアンケート情報を読み出して前記ユーザ端末に表示するステップと、ユーザから入力されたアンケート回答情報を外部装置に送信するステップとを有する。
【００２１】
本発明の第３のユーザ端末の機能評価方法は、機能別のアンケート情報を予めユーザ端末の第１の記憶手段に登録するステップと、機能が何回使用されたときにアンケートを行うのかを指定するアンケート実行条件を機能別に予め前記ユーザ端末の第２の記憶手段に登録するステップと、前記ユーザ端末の機能が使用される度に機能使用回数を前記第２の記憶手段に機能別に登録，更新するステップと、機能使用終了時に前記第２の記憶手段に登録されている該当機能のアンケート実行条件と機能使用回数とを照合するステップと、アンケート実行条件と機能使用回数とが一致した場合にアンケート依頼情報を前記ユーザ端末に表示するステップと、ユーザの承諾回答を得た後に前記第１の記憶手段から該当機能のアンケート情報を読み出して前記ユーザ端末に表示するステップと、ユーザから入力されたアンケート回答情報が全ての質問に対する回答を含んでいるかを確認するステップと、含んでいた場合にアンケート回答情報を外部装置に送信し、含んでいなかった場合は送信しないよう制御するステップと、アンケート回答情報が少なくとも一部の質問に未回答であった場合、回答済みの質問，回答情報と未回答の質問情報とを中断情報として機能対応に前記ユーザ端末に保存するステップと、次回の該当機能使用時に未回答の質問情報についてアンケート調査を実行するステップと、全ての質問に対する回答が揃ったときにアンケート回答情報を一括して前記ユーザ端末から前記外部装置に送信するステップと、機能別使用回数を含む機能使用状況情報を定期的に前記外部装置に送信するステップとを有する。
【００２２】
本発明の第１のプログラムは、機能別のアンケート情報を予め第１の記憶手段に登録する機能、機能が何回使用されたときにアンケートを行うのかを指定するアンケート実行条件を機能別に予め第２の記憶手段に登録する機能、機能が使用される度に機能使用回数を前記第２の記憶手段に機能別に登録，更新する機能、機能使用終了時に前記第２の記憶手段に登録されている該当機能のアンケート実行条件と機能使用回数とを照合し、一致した場合に前記第１の記憶手段から該当機能のアンケート情報を読み出して表示する機能、ユーザから入力されたアンケート回答情報を外部装置に送信する機能、をコンピュータに実現させる。
【００２３】
本発明の第２のプログラムは、機能別のアンケート情報を予め第１の記憶手段に登録する機能、機能が何回使用されたときにアンケートを行うのかを指定するアンケート実行条件を機能別に予め第２の記憶手段に登録する機能、機能が使用される度に機能使用回数を前記第２の記憶手段に機能別に登録，更新する機能、機能使用終了時に前記第２の記憶手段に登録されている該当機能のアンケート実行条件と機能使用回数とを照合する機能、アンケート実行条件と機能使用回数とが一致した場合にアンケート依頼情報を表示する機能、ユーザの承諾回答を得た後に前記第１の記憶手段から該当機能のアンケート情報を読み出して表示する機能、ユーザから入力されたアンケート回答情報が全ての質問に対する回答を含んでいるかを確認する機能、含んでいた場合にアンケート回答情報を外部装置に送信し、含んでいなかった場合は送信しないよう制御する機能、アンケート回答情報が少なくとも一部の質問に未回答であった場合、回答済みの質問，回答情報と未回答の質問情報とを中断情報として機能対応に保存する機能、次回の該当機能使用時に未回答の質問情報についてアンケート調査を実行する機能、全ての質問に対する回答が揃ったときにアンケート回答情報を一括して前記外部装置に送信する機能、機能別使用回数を含む機能使用状況情報を定期的に前記外部装置に送信する機能、をコンピュータに実現させる。
【発明の効果】
【００２４】
本発明は、機能毎のアンケート情報をユーザ端末に格納しておき、各機能の評価実行時に該当機能のアンケート情報を読み出して表示しているため、サーバ等の外部装置からアンケート情報をその都度配信するという手間が省けるという効果が得られる。
【００２５】
また、本発明は、ユーザ端末において各機能を使用した直後にその機能に関するアンケート調査を行うようにしたため、タイムリーな調査により正確な評価が得られるとともに、回答率が向上するという効果が得られる。また、機能が何回使用されたときにアンケートを行うのかを機能別に設定しているため、複雑な機能等についても十分使用した後に回答できることから正確な評価につながるとともに、同じ機能を何回使用しても回答は１回だけ行えばよいという効果が得られる。
【発明を実施するための最良の形態】
【００２６】
本発明の実施の形態について図面を参照して詳細に説明する。
【００２７】
図１は、本発明の一実施の形態の構成を示す図であり、ユーザ端末１０と、集計サーバ２０と、インターネット等のネットワーク３０とを備えている。
【００２８】
ユーザ端末１０は、ユーザに使用される携帯電話機，ＰＨＳ（Personal Handyphone System），ＰＤＡ（Personal Digital Assistance）等の携帯端末やパーソナルコンピュー
タ等の情報処理装置である。なお、本実施の形態においては、携帯電話機等の携帯端末をユーザ端末として用いた場合を例に説明する。このユーザ端末１０は、通信部１１と、アンテナ１２と、操作部１３と、表示部１４と、制御部１５と、記憶部１６とを備えている。通信部１１は図示しない基地局との間でアンテナ１２を介して無線信号の送受信を行う通信装置であり、操作部１３はテンキー，機能キー，ポインティングデバイス等の入力装置、表示部１４はＬＣＤ(Liquid Crystal Display)等の表示装置である。
【００２９】
制御部１５は、ＣＰＵ（Central Processing Unit）等の制御装置であり、プログラム
により動作を制御される。この制御部１５は、
・各機能の使用開始操作を検出し機能を起動，実行するとともに、機能別使用回数を登録，更新する機能、
・機能使用終了時に、機能使用回数がアンケート実行条件を満たしているかを照合し、満たしている場合にアンケートを表示して回答を依頼する機能、
・アンケートに対するユーザ回答情報を集計サーバ２０に送信する機能、
・アンケートに対するユーザ回答が途中で中断され終了した場合に、中断情報を保存しておき、次回の機能使用終了時に未回答部分の回答を依頼する機能、
・定期的に機能別使用回数情報を抽出して集計サーバ２０に送信する機能、
を備えている。
【００３０】
記憶部１６は、機能アンケートプログラム１６１と、機能別アンケート情報データベース１６２と、アンケート実行条件・機能使用履歴データベース１６３と、アンケート中断情報データベース１６４とを含んだ記憶装置である。機能アンケートプログラム１６１は制御部１５に読み込まれ、ユーザ端末１０の動作を制御する。機能別アンケート情報データベース１６２には、図２（機能別アンケート情報データベース１６２に格納されるデータの一例を示す図）に示すように、各機能対応に質問と回答選択肢情報が予め格納されている。アンケート実行条件・機能使用履歴データベース１６３には、図３（アンケート実行条件・機能使用履歴データベース１６３に格納されるデータの一例を示す図）に示すように、アンケート実行条件，機能使用回数等が機能別に登録，更新される。アンケート実行条件とは、各機能が何回使用されたときにアンケートを実施するかを決定する条件であり、例えば５回と登録されている場合は、機能使用回数が５回になった時点でアンケートが実施される。機能使用回数とは各機能が使用された回数であり、機能使用開始時に制御部１５により更新される。アンケート中断情報データベース１６４には、図４（アンケート中断情報データベース１６４に格納されるデータの一例を示す図）に示すように、アンケート中断情報として中断機能と中断時回答状況とが対応付けられて格納される。このアンケート中断情報は、ユーザがアンケートの途中でアンケートの回答を中断，終了した場合に、該当機能と、中断時までに回答入力されていた内容（質問１に対して回答４等）を含んでいる。これにより、どの質問に対して未回答であるのかが判別可能になっている。
【００３１】
集計サーバ２０は、ワークステーション・サーバ等の情報処理装置である。この集計サーバ２０は、ネットワーク３０と接続する通信部２１と、ユーザ端末１０から送信されたアンケート回答情報や機能別使用回数情報を集計，登録処理する制御部２２と、ユーザ端末１０からの受信情報や集計情報を保存する記憶部２３とを備えている。
【００３２】
次に、本発明の一実施の形態の動作について図１〜図８を参照して説明する。
【００３３】
図５は本発明の一実施の形態におけるアンケート実行制御時の動作を示すフローチャートであり、図６はアンケート依頼用情報の表示例を示す図、図７はアンケート情報の表示例を示す図である。また、図８は本発明の一実施の形態における機能別使用回数報告時の動作を示すフローチャートである。
【００３４】
図５を参照すると、まず、ユーザがユーザ端末１０に備えられたカメラ，ミュージックプレーヤーやスケジューラ等の機能の使用を開始すると、制御部１５は該当機能の使用回数を更新する。詳細には、例えば、機能Ａ対応のキーの押下や画面上での機能選択をユーザが操作部１３から操作したときに、制御部１５は機能Ａの起動操作がされたことを検出し機能Ａを起動，実行する。そして、制御部１５は、アンケート実行条件・機能使用履歴データベース１６３の機能Ａの使用回数に１を加算して更新する（ステップＡ１）。次に、制御部１５は起動された機能の使用が終了したかを判断する。機能の終了操作は、例えば、ユーザ端末１０の操作部１３の終話キー（図６参照）の押下により行われ、制御部１５は終話キーが押下されたことにより機能の使用終了を検出する（ステップＡ２）。
【００３５】
機能の使用終了を検出した制御部１５は、アンケート実行条件・機能使用履歴データベース１６３を参照し、該当機能の機能使用回数がアンケート実行条件に設定された回数と一致するかを照合する。一致していない場合は、制御部１５は処理を終了する。一致していた場合は、制御部１５は、図６に示すアンケート依頼用画面情報を記憶部１６の図示しない記憶エリアから読み出して表示部１４に表示する（ステップＡ３，Ａ４）。
【００３６】
図６の画面上でユーザが「ＹＥＳ」を選択すると、制御部１５はアンケート回答が承諾されたと判断し、「ＮＯ」の場合はアンケート回答が拒否されたと判断する。アンケート回答が拒否された場合は、制御部１５はアンケート実行条件・機能使用履歴データベース１６３の該当機能のアンケート実行条件に設定されている回数に１を加算して更新した後、処理を終了する。これにより、次回の機能使用時に再度アンケート依頼を行うことができる（ステップＡ５→ステップＡ１０）。
【００３７】
ステップＡ５において、アンケート回答が承諾された場合は、制御部１５はアンケート中断情報データベース１６４を参照し、該当機能の中断情報が登録されているかを検索する。中断情報が登録されていなかった場合、制御部１５は機能別アンケート情報データベース１６２を参照し、該当機能の質問，回答選択肢情報を抽出して表示部１４に表示する（図７参照）。このとき、ユーザにより一つの質問の回答が選択される度に次の質問，回答選択肢を表示させるようにしてもよいし、複数の質問，回答選択肢情報をスクロール表示させるようにしてもよい。この後、制御部１５はアンケート中断情報データベース１６４に機能名と回答を依頼する質問番号（例えば、Ｑ１，Ｑ２，Ｑ３，Ｑ４等）とを登録する。次に、該当機能の中断情報が登録されていた場合は、制御部１５は回答登録されていない質問をアンケート中断情報データベース１６４から抽出する。例えば、図４を参照すると、Ｑ３，Ｑ４の質問が未だ回答されていないため、制御部１５は該当機能のＱ３，Ｑ４に関する質問，回答選択肢情報を機能別アンケート情報データベース１６２から抽出し、表示部１４に表示する。これにより、ユーザに同じ質問をすることなく、未回答の質問に対する回答だけを依頼することが可能となる（ステップＡ５→ステップＡ６）。
【００３８】
ステップＡ６に続き、ユーザはユーザ端末１０の画面上で回答を選択し、制御部１５は選択された回答番号を質問番号に対応付けてアンケート中断情報データベース１６４に登録する（図４参照）（ステップＡ７）。ユーザは、回答が終了すると図７の画面上の「送信」ボタンを操作部１３により押下する。また、回答の途中で中断したい場合は、ユーザは図７の「終話」ボタンまたは画面上の「中止」ボタンを押下する。「送信」ボタン，「中止」ボタンまたは「終話」ボタンの押下を検出した制御部１５は、アンケート中断情報データベース１６４を参照し、該当機能対応の全ての質問に対して回答が登録されているかを確認する（ステップＡ８→ステップＡ９）。
【００３９】
ステップＡ９において、回答されていない質問があった場合は、制御部１５はアンケート実行条件・機能使用履歴データベース１６３の該当機能のアンケート実行条件に設定されている回数に１を加算して更新した後、処理を終了する。これにより、次回の機能使用時に未回答部分について再度アンケート依頼を行うことができる（ステップＡ９→ステップＡ１０）。ステップＡ９において、該当機能対応の全ての質問に対して回答が登録されていた場合は、制御部１５はアンケート回答情報（機能名と、各質問番号に対応する回答番号情報）をアンケート中断情報データベース１６４から抽出する。そして、制御部１５は記憶部１６の図示しない記憶エリアから集計サーバ２０の接続アドレスを取得してアクセスし、抽出したアンケート回答情報を集計サーバ２０に送信する（ステップＡ９→ステップＡ１１）。その後、制御部１５は集計サーバ２０に送信したアンケート回答情報をアンケート中断情報データベース１６４から削除する（ステップＡ１２）。集計サーバ２０の制御部２２は、各ユーザ端末１０から受信したアンケート回答情報をユーザ別に記憶部２３に登録するとともに（ステップＡ１３）、機能別のアンケート回答情報を集計し記憶部２３に登録する（ステップＡ１４）。なお、ユーザ端末１０からアンケート回答情報を集計サーバに送信するときにユーザ識別情報（ユーザ識別番号，端末ＩＤ，電話番号等）を併せて送信し、アンケート情報とユーザ識別情報を対応付けて登録するようにしてもよい。
【００４０】
以上説明した本実施の形態においては、機能毎のアンケート情報をユーザ端末１０に格納しておき、各機能の評価実行時に該当機能のアンケート情報を読み出して表示している。このため、サーバ等の外部装置からアンケート情報をその都度配信するという手間が省けるという効果が得られる。
【００４１】
また、本実施の形態においては、ユーザ端末１０において各機能を使用した直後にその機能に関するアンケート調査を行うようにしたため、タイムリーな調査により正確な評価が得られるとともに、回答率が向上するという効果が得られる。また、機能が何回使用されたときにアンケートを行うのかを機能別に設定しているため、複雑な機能等についても十分使用した後に回答できることから正確な評価につながるとともに、同じ機能を何回使用しても回答は１回だけ行えばよいという効果が得られる。さらに、正確な評価のフィードバックに基づく機能開発部門での機能改良等にも貢献できるという効果が得られる。
【００４２】
また、本実施の形態においては、アンケート調査の途中で中断した場合は次回の機能使用終了時に中断時に未回答の質問から継続するようにしたため、ユーザにとっては何度も同じ質問に回答しなくても済むという効果が得られる。
【００４３】
以上、アンケート実行制御時の動作について説明したが、次に集計サーバ２０への機能別使用回数報告時の動作について説明する。
【００４４】
図８を参照すると、ユーザ端末１０の制御部１５は定期的に記憶部１６の図示しない記憶エリアに予め設定された報告時期情報（例えば、年月日／時刻情報や報告間隔等）を確認する（ステップＢ１）。そして、制御部１５は図示しない時計部からの現在日時情報との照合により報告時期になったことを確認すると（ステップＢ２）、アンケート実行条件・機能使用履歴データベース１６３から機能別使用回数情報を抽出し集計サーバ２０に送信する。このとき、報告時期情報が報告間隔の場合（定期的な報告の場合）は、制御部１５は今回の報告日時情報を報告時期情報とともに記憶部１６に登録しておく（ステップＢ３）。集計サーバ２０の制御部２２は、各ユーザ端末１０から受信した機能別使用回数情報を記憶部２３にユーザ別に登録するとともに（ステップＢ４）、機能別使用回数情報を集計し記憶部２３に登録する（ステップＢ５）。
【００４５】
以上説明したように、集計サーバ２０への機能別使用回数報告時においては機能毎の使用回数を報告しているため、ユーザが使用した機能だけでなく使用していない機能についても集計でき、全ユーザの機能の使用動向を把握できるという効果が得られる。
【００４６】
次に、本発明の応用例，変形例等について説明する。
【００４７】
・上述した一実施の形態においては、機能を所定回数使用した直後にアンケートを実行するとして説明したが、一定回数（例えば、１０回）使用する毎にアンケートを繰り返し実行するようにしてもよい。その場合、複数種類のアンケート内容を機能アンケートプログラム１６１に格納しておき、各回の調査で異なる質問をするようにしてもよい。
【００４８】
・上述した一実施の形態においては、所定の報告時期になるとユーザ端末１０から機能別使用回数を集計サーバ２０に送信するとして説明した（図８のステップＢ１〜ステップＢ３）。このとき、使用回数だけでなく使用日時情報も併せて送信するようにしてもよい。これにより、集計サーバ２０側でより詳細な分析が可能となる。なお、この場合、機能使用開始時に制御部１５がアンケート実行条件・機能使用履歴データベース１６３の使用回数を登録，更新するときに、使用日時も併せて登録するようにする。
【００４９】
・上述した一実施の形態においては、ユーザ端末１０からアンケート回答情報を集計サーバ２０に送信後に、アンケート中断情報データベース１６４に保存していたアンケート回答情報を削除している（図５のステップＡ１２）。これは、未回答の質問が残っているアンケート回答情報は集計サーバ２０に送信せず、中断情報としてアンケート中断情報データベース１６４に保存しておき、次回の回答で残りの回答が得られたときに集計サーバ２０に一括送信することに起因している。換言すれば、中断情報検索の効率性を考慮する意味で中断情報のみをアンケート中断情報データベース１６４に残すようにしたためであるが、集計サーバ２０に送信したアンケート回答情報についても削除せずユーザ参照用に保存するようにしてもよい。
【図面の簡単な説明】
【００５０】
【図１】本発明の一実施の形態の構成を示す図である。
【図２】機能別アンケート情報データベース１６２に格納されるデータの一例を示す図である。
【図３】アンケート実行条件・機能使用履歴データベース１６３に格納されるデータの一例を示す図である。
【図４】アンケート中断情報データベース１６４に格納されるデータの一例を示す図である。
【図５】本発明の一実施の形態におけるアンケート実行制御時の動作を示すフローチャートである。
【図６】アンケート依頼用情報の表示例を示す図である。
【図７】アンケート情報の表示例を示す図である。
【図８】本発明の一実施の形態における機能別使用回数報告時の動作を示すフローチャートである。
【符号の説明】
【００５１】
１０    ユーザ端末
１１    通信部
１２    アンテナ
１３    操作部
１４    表示部
１５    制御部
１６    記憶部
１６１    機能アンケートプログラム
１６２    機能別アンケート情報データベース
１６３    アンケート実行条件・機能使用履歴データベース
１６４    アンケート中断情報データベース
２０    集計サーバ
２１    通信部
２２    制御部
２３    記憶部
３０    ネットワーク
【図１】
2007140637.tif 000003
【図２】
2007140637.tif 000004
【図３】
2007140637.tif 000005
【図４】
2007140637.tif 000006
【図５】
2007140637.tif 000007
【図６】
2007140637.tif 000008
【図７】
2007140637.tif 000009
【図８】
2007140637.tif 000010